(57)【特許請求の範囲】
【請求項１】
上り制御セル信号と上り情報セルとが多重された上りセルを受取り、受取った上りセルより前記上り情報セルと前記上り制御セル信号を分離する上りセル分離部と、
前記上り制御セル信号より上りセル情報を抽出する上り制御セル終端部と、
上り制御セル送出指示信号と前記上りセル情報により前記上りセルの送出位置を演算し上り情報セル送出指示信号を作成して出力する上りセル位置演算部と、
前記上り制御セル送出指示信号と前記上り情報セル送出指示信号を外部より入力される下り情報セルの信号と多重して下りセルを出力する多重部と、
を備えたことを特徴とする通信装置。
【請求項２】
下り制御セルと下り情報セルとが多重された下りセルを受取り、受取った下りセルより前記下り制御セルと前記下り情報セルとを分離する下りセル分離部と、
前記下り制御セルを終端し、上り情報セル送出指示信号と上り制御セル送出指示信号を生成する下り制御セル終端部と、
前記上り情報セル送出指示信号より上りセルの送出位置を指示する上り情報セル出力指示信号を出力する上り情報セル送出制御部と、
入力された上り情報セルを蓄積し、蓄積した情報セルの長さを上り制御セル生成部に通知し、かつ前記上り情報セル送出制御部から出力される上り情報セル出力指示信号により上り情報セルを出力する上り情報セルバッファ部と、
前記上り制御セル生成部から出力される上り制御セルと、前記上り情報セルバッファ部から出力される前記上り情報セルとを多重して上りセルを出力する多重部と、
を備えたことを特徴とする通信装置。
【請求項３】
下り制御セルと下り情報セルとが多重された下りセルを受取り、受取った下りセルより前記下り制御セルと前記下り情報セルとを分離する下りセル分離部と、
前記下り制御セルを終端し、上り情報セル送出指示信号と上り制御セル送出指示信号を生成する下り制御セル終端部と、
前記上り情報セル送出指示信号より上りセルの送出位置を指示する上り情報セル出力指示信号を出力する上り情報セル送出制御部と、
入力された上り情報セルを蓄積し、かつ前記上り情報セル送出制御部から出力される上り情報セル出力指示信号により上り情報セルを出力する上り情報セルバッファ部と、
前記上り情報セルバッファ部に蓄積されている情報セルの長さの情報を保持し、前記下り制御セル終端部から出力される前記上り制御セル送出指示信号の入力時に前記保持していた情報セルの長さの情報を出力する上りセル情報保持部と、
前記上りセル情報保持部から出力される前記情報セルの長さの情報と前記上り情報セルバッファ部から出力される前記上り情報セルとを多重して上りセルを出力する多重部と、
を備えたことを特徴とする通信装置。
【請求項４】
請求項１に記載の通信装置と、請求項２または請求項３の何れか１つに記載の通信装置との間で通信を行うことを特徴とする通信システム。
【発明の詳細な説明】
【０００１】
【発明の属する技術分野】
この発明は、局装置１台に対して複数の加入者装置が接続されたＰＯＮシステムにおいて、送出するセル長に応じて上りバースト信号の長さを変化させ、上りの帯域を有効に活用するようにした、ＩＰ（Ｉｎｔｅｒｎｅｔ  Ｐｒｏｔｏｃｏｌ）において、ＰＯＮ（Ｐａｓｓｉｖｅ  Ｏｐｔｉｃａｌ  Ｎｅｔｗｏｒｋ）方式を使用することができるようにして、上りの帯域を有効に活用するようにしたセル長可変ＰＯＮシステムに関する。
【０００２】
【従来の技術】
従来のＩＴＵ−Ｔ  Ｇ．９８３．１に記されているＦＳＡＮ方式の場合、上りの情報セル長はＡＴＭ５３バイトの固定長もしくは５３バイトより短いセルのみしか扱えず、ＡＴＭ５３バイトより長いデータを送出する場合にはデータを分割してＡＴＭ５３バイトセルを複数使用しなければならなかった。
なお、近似技術として、たとえば、特開平１０−２２４３６８号公報、特開平１０−２９０２３３号公報などがある。
【０００３】
【発明が解決しようとする課題】
したがって、ＡＴＭ５３バイトより長いデータを送出する場合に、ＡＴＭ５３バイトセルとなるようにデータを分割すると、このとき、分割損が発生しまた上りの帯域に未使用領域が発生するという課題がある。
【０００４】
この発明は、上記従来の課題を解決するためになされたもので、ＩＰにおいてＰＯＮ方式を使用可能して、加入者区間でＰＯＮシステムを使用した加入者サービスの提供を可能とし、かつ上り帯域を有効に使用することができるとともに、上りの帯域を接続されている複数の加入者装置で有効に使用することができるセル長可変ＰＯＮシステムを提供することを目的とする。
【０００５】
【課題を解決するための手段】
上記目的を達成するために、本発明に係る通信装置は、上り情報セルのセル長を表す上り制御セル信号を受取る手段と、受取った上り制御セル信号に基づいて指示信号を作成して送出する手段と、前記指示信号に基づいて送出すべきセル長が定められた上り情報セルを受取る手段とを備えたことを特徴とする。
また、本発明に係る通信装置は、上り情報セルのセル長を表す上り制御セル信号を受取る手段と、受取った上り制御セル信号に基づいて指示信号を作成して送出する手段と、前記指示信号に基づいて送出すべきセル長及び送出位置が定められた上り情報セルを受取る手段とを備えたことを特徴とする。
また、本発明に係る通信装置は、上り制御セル信号と上り情報セルとが多重された上りセルを受取り、受取った上りセルより前記上り情報セルと前記上り制御セル信号を分離する上りセル分離部と、前記上り制御セル信号より上りセル情報を抽出する上り制御セル終端部と、上り制御セル送出指示信号と前記上りセル情報により前記上りセルの送出位置を演算し上り情報セル送出指示信号を作成して出力する上りセル位置演算部と、前記上り制御セル送出指示信号と前記上り情報セル送出指示信号を外部より入力される下り情報セルの信号と多重して下りセルを出力する多重部とを備えたことを特徴とする。
また、本発明に係る通信装置は、上り情報セルのセル長を表す上り制御セル信号を送出する手段と、送出した上り制御セル信号に基づいて作成された指示信号を受取る手段と、前記指示信号に基づいて送出すべきセル長を定めた上り情報セルを送出する手段とを備えたことを特徴とする。
また、本発明に係る通信装置は、上り情報セルのセル長を表す上り制御セル信号を送出する手段と、送出した上り制御セル信号に基づいて作成された指示信号を受取る手段と、前記指示信号に基づいて送出すべきセル長及び送出位置を定めた上り情報セルを送出する手段とを備えたことを特徴とする。
また、本発明に係る通信装置は、下り制御セルと下り情報セルとが多重された下りセルを受取り、受取った下りセルより前記下り制御セルと前記下り情報セルとを分離する下りセル分離部と、前記下り制御セルを終端し、上り情報セル送出指示信号と上り制御セル送出指示信号を生成する下り制御セル終端部と、前記上り情報セル送出指示信号より上りセルの送出位置を指示する上り情報セル出力指示信号を出力する上り情報セル送出制御部と、入力された上り情報セルを蓄積し、蓄積した情報セルの長さを上り制御セル生成部に通知し、かつ前記上り情報セル送出制御部から出力される上り情報セル出力指示信号により上り情報セルを出力する上り情報セルバッファ部と、前記上り制御セル生成部から出力される上り制御セルと、前記上り情報セルバッファ部から出力される前記上り情報セルとを多重して上りセルを出力する多重部とを備えたことを特徴とする。
また、本発明に係る通信装置は、下り制御セルと下り情報セルとが多重された下りセルを受取り、受取った下りセルより前記下り制御セルと前記下り情報セルとを分離する下りセル分離部と、前記下り制御セルを終端し、上り情報セル送出指示信号と上り制御セル送出指示信号を生成する下り制御セル終端部と、前記上り情報セル送出指示信号より上りセルの送出位置を指示する上り情報セル出力指示信号を出力する上り情報セル送出制御部と、入力された上り情報セルを蓄積し、かつ前記上り情報セル送出制御部から出力される上り情報セル出力指示信号により上り情報セルを出力する上り情報セルバッファ部と、前記上り情報セルバッファ部に蓄積されている情報セルの長さの情報を保持し、前記下り制御セル終端部から出力される前記上り制御セル送出指示信号の入力時に前記保持していた情報セルの長さの情報を出力する上りセル情報保持部と、前記上りセル情報保持部から出力される前記情報セルの長さの情報と前記上り情報セルバッファ部から出力される前記上り情報セルとを多重して上りセルを出力する多重部とを備えたことを特徴とする。
また、本発明に係る通信システムは、請求項１乃至５の何れか１項記載の通信装置と、請求項６乃至１０の何れか１項記載の通信装置との間で通信を行うことを特徴とする。
【０００６】
そのため、例えば同一の局装置に複数の加入者装置を接続した通信ネットワークに本発明を適用した場合に、複数の加入者装置のうちの所定の加入者装置から送出される上り情報セルのセル長を上り制御セルを用いて局装置に送信すると、局装置でこの上り情報セルに挿入されているセル長の情報を元に加入者装置に対して上り情報セルを送る指示信号を下り制御セルに挿入して通知する。
加入者装置はこの受信した下り制御セルに挿入されている指示信号により加入者装置に蓄積されている上り情報セルを局装置に送出することができるので、ＩＰにおいてＰＯＮ方式を使用可能して、加入者区間でＰＯＮシステムを使用した加入者サービスの提供を可能とし、かつ上り帯域を有効に使用することができるとともに、上りの帯域を接続されている複数の加入者装置で有効に使用することができる。
【０００７】
【発明の実施の形態】
次ぎに、この発明によるセル長可変ＰＯＮシステムの実施の形態について説明する。
図１は、この発明による第１実施の形態の全体の構成を示すブロック図である。まず、この第１実施の形態の概要から説明する。
この図１に示す第１実施の形態の説明に際して、複数個の加入者装置が使用されており、第１の加入者装置１０２と第ｎの加入者装置１０３は同じ構造となっているため、第１の加入者装置１０２を代表して説明する。
図１において、第１の加入者装置１０２のバッファ１０６に蓄積されている上り情報セル１０７のセル長を上り制御セル１０８を用いて局装置１０１に通知する。
【０００８】
局装置１０１は受信した上り制御信号１０８に挿入されているセル長の情報を元に、第１の加入者装置１０２に対して上り情報セル１０７を送る指示信号を下り制御セル１０９に挿入して通知する。
第１の加入者装置１０２は、受信した下り制御セル１０９に挿入されている指示信号により第１の加入者装置１０２のバッファ１０６に蓄積されている上り情報セル１０７を局装置１０１に送出する。
【０００９】
次ぎに、この発明による第１実施の形態をより詳細に説明する。第１実施の形態のセル長可変ＰＯＮシステムは、局に設置される局装置１０１と、複数の加入者装置１０２，１０３を有し、上り情報セル１０７を蓄積するバッファ１０６を有する第１の加入者装置１０２と第ｎの加入者装置１０３、局装置１０１と複数の加入者装置を接続する伝送路１０５、伝送路１０５を分配するスターカプラ１０４にて構成されている。
局装置１０１の構成を図２に、第１の加入者装置１０２の構成を図３にそれぞれ示す。
【００１０】
局装置１０１は図２に示すように、上り制御セル信号２１３と上り情報セル２０７とが多重された上りセル２０６を加入者装置から受取り、その受取った上りセル２０６より上り情報セル２０７と上り制御セル信号２１３を分離する上りセル分離部２１０、上り制御セル信号２１３より上りセル情報２１１を抽出する上り制御セル終端部２０５、上り制御セル送出指示信号２１４や、上りセル情報２１１により上りセルの送出位置を演算し、上り情報セル送出指示信号２１２を作成して出力する上りセル位置演算部２０８、上り制御セル送出指示信号２１４と上り情報セル送出指示信号２１２が入力された下り制御セル信号２０９を生成する下り制御セル生成部２０４、下り制御セル信号２０９と外部より入力される下り情報セル２０１とを多重して下りセル２０３を出力する多重部２０２にて構成される。
【００１１】
また、第１の加入者装置１０２は、図３に示すように、下り制御セル３１１と下り情報セル３０２とが多重された下りセル３０１を局装置から受取り、その受取った下りセル３０１より下り制御セル３１１と下り情報セル３０２とを分離する下りセル分離部３１０、下り制御セル３１１を終端し上り情報セル送出指示信号３１２と上り制御セル送出指示信号３１３を生成する下り制御セル終端部３０３、上り情報セル送出指示信号３１２より上り情報セルバッファ部３０６に対して上りセルの送出位置を指示する信号である上り情報セル出力指示信号３１４を出力する上り情報セル送出制御部３０４、入力された上り情報セル３０７を蓄積し、蓄積した情報セルの長さを上り制御セル生成部３０５に通知したり、上り情報セル送出制御部３０４からの上り情報セル出力指示信号３１４により上り情報セル３１５を出力する上り情報セルバッファ部３０６、上り制御セル３１６を生成する上り制御セル生成部３０５、上り情報セル３１５と上り制御セル３１６を多重して上りセル３０９を出力する多重部３０８で構成されている。
【００１２】
次に、以上のように構成されたこの第１実施の形態の動作について図２〜図４を参照して説明する。
図４はこの第１実施の形態の動作のシーケンス図である。この図４において、時刻Ｔ０４０４から時刻Ｔ１４０１間のＲａｎｇｉｎｇ（範囲）４０２で局装置１０１が第１の加入者装置１０２に対して起動制御を行う。
この第１の加入者装置１０２の起動制御が完了すると、運用４０３となり、以下に示す処理を時刻Ｔ１４０１から時刻Ｔ２４０５間に行い、以後時刻Ｔ１４０１から時刻Ｔ２４０５間の処理を繰り返す。
【００１３】
図２に示すように、局装置１０１内の上りセル位置演算部２０８にて上り制御セル送出指示信号２１４が生成されると、上り制御セル送出指示信号２１４は下り制御セル生成部２０４で下り制御セル信号２０９内に挿入され、下り制御セル信号２０９は多重部２０２で下り情報セル２０１と多重され、下りセル２０３として第１の加入者装置１０２に送出される。
第１の加入者装置１０２で図３に示す下りセル３０１（図２の下りセル２０３）を受信すると、下りセル分離部３１０で下り制御セル３１１と下り情報セル３０２とに分離される。
【００１４】
この下り制御セル３１１は、下り制御セル終端部３０３で上り制御セル送出指示信号３１３と上り情報セル送出指示信号３１２に分離される。
上り制御セル送出指示信号３１３は上り制御セル生成部３０５に入力される。この上り制御セル生成部３０５は、上り制御セル送出指示信号３１３で指示されたタイミングで、上り情報セルバッファ部３０６に蓄積されている上り情報セル３０７のセル長を上り制御セル３１６に格納する。
上り制御セル３１６は、多重部３０８に入力され、この上り制御セル３１６は多重部３０８で上り情報セルバッファ部３０６から出力される上り情報セル３１５と多重され、上りセル３０９として局装置１０１に送出される。
【００１５】
局装置１０１において図２で示すように、上りセル２０６（図３の上りセル３０９）を受信すると、上りセル分離部２１０にて上りセル２０６は上り制御セル信号２１３と上り情報セル２０７に分離される。
上り制御セル信号２１３は上り制御セル終端部２０５に入力され、上り制御セル終端部２０５は上りセル情報２１１を上りセル位置演算部２０８に出力する。
【００１６】
上りセル位置演算部２０８では、第１の加入者装置１０２から第ｎの加入者装置２０３までの複数の加入者装置が送出する上りセル３０９が互いに衝突しないように、第１の加入者装置１０２から第ｎの加入者装置２０３までの複数の加入者装置それぞれが送出する上りセル３０９（図３参照）の送出位置を決定し、上り情報セル送出指示信号２１２を作成する。
この上り情報セル送出指示信号２１２は、下り制御セル生成部２０４で下り制御セル信号２０９に挿入され、多重部２０２で下り情報セル２０１と多重され、下りセル２０３として加入者装置へ送出される。
【００１７】
図３に示すように、第１の加入者装置１０２で下りセル３０１を受信すると、下りセル分離部３１０で下り制御セル３１１と下り情報セル３０２とに分離される。
下り制御セル３１１は、下り制御セル終端部３０３で上り制御セル送出指示信号３１３と上り情報セル送出指示信号３１２に分離される。
上り情報セル送出指示信号３１２は上り情報セル送出制御部３０４に入力され、上り情報セル送出制御部３０４はこの上り情報セル送出指示信号３１２により上り情報セル送出タイミングを検出すると、上り情報セルバッファ部３０６に上り情報セル出力指示信号３１４を出力する。
【００１８】
上り情報セルバッファ部３０６は、上り情報セル出力指示信号３１４が入力されると、上り情報セル３１５を多重部３０８に出力し、上り情報セル３１５は多重部３０８により上り制御セル３１６と多重され、上りセル３０９として局装置１０１に出力される。
【００１９】
次ぎに、この発明の第２実施の形態について説明する。図５はこの発明による第２実施の形態における局装置の構成を示すブロック図である。
この第２実施の形態では、図５に示すように上り情報セル送出指示信号２１２、上り制御セル送出指示信号２１４を下り制御セル２０９を用いずに、多重部２０２で下り情報セル２０１に多重して、下りセル２０３として第１の加入者装置１０２に送出するようにしている。
その他の構成ならびに動作は上記図２で示した第１実施の形態における局装置と同様である。
この第２実施の形態では、図２で示したような下り制御セル信号２０９を使用せずに、上り情報セル送出指示信号２１２、上り制御セル送出指示信号２１４を送出できるため、下りの伝送路帯域を増加させる効果がある。
【００２０】
次ぎに、この発明の第２実施の形態における第１の加入者装置について説明する。図６はこの第２実施の形態における第１の加入者装置１０２の構成を示すブロック図である。
この図６において、上記図３と同一部分には同一符号を付して、構成ならびに動作の重複説明を省略する。
この図６に示す第１の加入者装置１０２は、上記図３で示した上り制御セル生成部３０５の代わりに、上りセル情報保持部６０１を配置している。
この上りセル情報保持部６０１は、上り情報セルバッファ部３０６に蓄積した情報セルの長さの情報を保持し、上り制御セル送出指示信号３１３の入力時に上り情報セルバッファ部３０６に保持されている情報セルの長さの情報を多重部３０８に出力する。
【００２１】
このように、上りセル情報保持部６０１を配置し、上り情報セルバッファ部３０６に蓄積されている情報セルのセル長の情報を上り制御セル３１６を用いずに、多重部３０８において、上り情報セルバッファ部３０６から出力される上り情報セル３１５に多重して上りセル３０９として局装置１０１に送出するようにしている。
この第２実施の形態における第１の加入者装置１０２では、上り制御セル信号３１６を送出せずにセル長を送出できるため、上りの伝送路帯域を増加させる効果がある。
【００２２】
【発明の効果】
以上のように、この発明によれば、例えば同一の局装置に複数の加入者装置を接続した通信ネットワークに本発明を適用した場合に、複数の加入者装置のうちの所定の加入者装置から送出される上り情報セルのセル長を上り制御セルを用いて局装置に送信し、局装置でこの上り情報セルに挿入されているセル長の情報を元に加入者装置に対して上り情報セルを送る指示信号を下り制御セルに挿入して通知し、加入者装置はこの受信した下り制御セルに挿入されている指示信号により加入者装置に蓄積されている上り情報セルを局装置に送出することができるので、ＩＰにおいてＰＯＮ方式を使用することができ、これにより加入者区間までＰＯＮシステムを使用した光加入者サービスが提供できる。
また、セル長に応じた長さで上りにセルが送出できるため、上りの帯域を有効に使用することができる。
さらに、上りに送出するべき情報セルがあるか、否かを上り制御セルを用いて局装置に通知し、局装置がその結果によって上り情報セルの送出制御を行うようにしているから、上りに送出するべきセルを有している加入者装置からのみ上りにセルが送出できるため、上りの帯域を接続されている複数の加入者装置で有効に使用することができる。
【図面の簡単な説明】
【図１】この発明によるセル長可変ＰＯＮシステムの第１実施の形態の全体の構成を示すブロック図である。
【図２】この発明によるセル長可変ＰＯＮシステムの第１実施の形態における局装置の詳細な構成を示すブロック図である。
【図３】この発明によるセル長可変ＰＯＮシステムの第１実施の形態における第１の加入者装置の詳細な構成を示すブロック図である。
【図４】この発明によるセル長可変ＰＯＮシステムの第１実施の形態の動作を説明するためのシーケンス図である。
【図５】この発明によるセル長可変ＰＯＮシステムの第２実施の形態における局装置の詳細な構成を示すブロック図である。
【図６】この発明によるセル長可変ＰＯＮシステムの第２実施の形態における第１の加入者装置の詳細な構成を示すブロック図である。
【符号の説明】
１０１……局装置、１０２……第１の加入者装置、１０３……第ｎの加入者装置、１０４……スターカプラ、１０５……伝送路、１０６……バッファ、１０７，２０７，３０７，３１５……上り情報セル、１０８，３１６……上り制御セル、１０９……下り制御セル、２０１……下り情報セル、２０２，３０８……多重部、２０３，３０１………下りセル、２０４……下り制御セル生成部、２０５……上り制御セル終端部、２０６，３０９……上りセル、２０８……上りセル位置演算部、２０９……下り制御セル、２１０……上りセル分離部、２１１……上りセル情報、２１２……上り情報セル送出指示信号、２１３……上り制御セル信号、２１４……上り制御セル送出指示、３０２……下り情報セル、３０３……下り制御セル終端部、３０４……上り情報セル送出制御部、３０５……上り制御セル生成部、３０６……上り情報セルバッファ、３１０……下りセル分離部、３１１……下り制御セル、３１２……上り情報セル送出指示信号、３１３……上り制御セル送出指示信号、３１４……上り情報セル出力指示、４０１……時刻Ｔ１、４０４……時刻Ｔ０、４０５……時刻Ｔ２、６０１……上りセル情報保持部。
【図１】
0003578054.tif 000002
【図２】
0003578054.tif 000003
【図３】
0003578054.tif 000004
【図４】
0003578054.tif 000005
【図５】
0003578054.tif 000006
【図６】
0003578054.tif 000007